(57)【要約】      （修正有）【課題】趣向性を向上するのに好適なカードセットを提供する。【解決手段】プロフィールカードセットは、プロフィールカード１０と、コーディネートシールと、ネイルシールとを有して構成されている。プロフィールカード１０の表面にはキャラクタ画像１１が、裏面にはプロフィールを記載する領域がそれぞれ表示されている。コーディネートシールおよびネイルシールは、プロフィールカード１０の表面に貼付してキャラクタ画像１１を装飾するための異なる複数のシールを含む。【選択図】図１
0003168931.tif 000002
【実用新案登録請求の範囲】
【請求項１】
一方の面に装飾対象を表示し、他方の面にプロフィールを記載する領域を表示したカードと、
前記一方の面に付して前記装飾対象を装飾するための異なる複数の装飾体とを備えることを特徴とするカードセット。
【請求項２】
請求項１において、
前記カードには、当該カードをバインダの留め具に取り付けるための穴が形成されていることを特徴とするカードセット。
【考案の詳細な説明】
【技術分野】
【０００１】
本考案は、友人等と交換するなどして楽しむカードセットに係り、特に、趣向性を向上するのに好適なカードセットに関する。
【背景技術】
【０００２】
従来、例えば低年齢の女の子の間では、自己のプロフィールを記載したプロフィールカードを友人等と交換し、友人等のプロフィールカードを収集して楽しむという趣味が持たれている。
【考案の概要】
【考案が解決しようとする課題】
【０００３】
しかしながら、従来のプロフィールカードにあっては、名前、生年月日、血液型などのプロフィールが得られるに過ぎず、趣向性が十分でないという問題があった。
【０００４】
そこで、本考案は、このような従来の技術の有する未解決の課題に着目してなされたものであって、趣向性を向上するのに好適なカードセットを提供することを目的としている。
【課題を解決するための手段】
【０００５】
〔考案１〕  上記目的を達成するために、考案１のカードセットは、一方の面に装飾対象を表示し、他方の面にプロフィールを記載する領域を表示したカードと、前記一方の面に付して前記装飾対象を装飾するための異なる複数の装飾体とを備える。
【０００６】
このような構成であれば、複数の装飾体のなかから好みの装飾体を選択し、選択した装飾体をカードの一方の面に付することにより装飾対象を装飾することができる。また、カードの他方の面に自己のプロフィールを記載する。そして、このようにして装飾およびプロフィールを記載したカードを他人と交換するなどして楽しむ。
【０００７】
〔考案２〕  さらに、考案２のカードセットは、考案１のカードセットにおいて、前記カードには、当該カードをバインダの留め具に取り付けるための穴が形成されている。
【考案の効果】
【０００８】
以上説明したように、考案１のカードセットによれば、他人のプロフィールだけでなく、その人の好みにより装飾された装飾対象が得られるので、趣向性を向上することができるという効果が得られる。
【０００９】
さらに、考案２のカードセットによれば、カードの穴をバインダの留め具に取り付ければ、他人と交換したカードをバインダにファイリングすることができるという効果が得られる。
【図面の簡単な説明】
【００１０】
【図１】プロフィールカード１０の表面を示す図である。
【図２】プロフィールカード１０の裏面を示す図である。
【図３】コーディネートシール１００およびネイルシール２００を示す図である。
【考案を実施するための形態】
【００１１】
以下、本考案の実施の形態を説明する。
まず、本実施の形態に係るプロフィールカードセットの構成を説明する。
【００１２】
図１は、プロフィールカード１０の表面を示す図である。
図２は、プロフィールカード１０の裏面を示す図である。
【００１３】
図３は、コーディネートシール１００およびネイルシール２００を示す図である。
プロフィールカードセットは、図１ないし図３に示すように、プロフィールカード１０と、コーディネートシール１００と、ネイルシール２００とを有して構成されている。
【００１４】
プロフィールカード１０は、表面がコーティングされたコート紙等から構成されている。プロフィールカード１０の表面には、図１に示すように、直立した女の子のキャラクタ画像１１が中央に表示されている。キャラクタ画像１１は、コーディネートシール１００およびネイルシール２００のシールを用いて着せ替えするなどして装飾する。
【００１５】
プロフィールカード１０の表面から見て左辺には、プロフィールカード１０をカードバインダの留め具に取り付けるための６つの穴１２が縦方向等間隔に形成されている。
【００１６】
プロフィールカード１０の裏面には、図２に示すように、プロフィールを記載する領域が表示されている。プロフィールを記載する領域は、写真シールを貼付する領域１３と、名前を記載する領域１４と、ニックネームを記載する領域１５と、住所を記載する領域１６と、携帯電話の番号を記載する領域１７と、メールアドレスを記載する領域１８と、星座を記載する領域１９と、誕生日を記載する領域２０と、血液型を記載する領域２１と、趣味を記載する領域２２と、現在夢中になっている事柄（マイブーム）を記載する領域２３と、特技を記載する領域２４と、メッセージを記載する領域２５と、好きな物を記載する領域２６と、嫌いな物を記載する領域２７とで構成されている。領域１４〜１８、２０〜２２は縦方向にその順で配置され、領域２３、２４は領域２２の下方に隣り合わせに配置され、領域２６、２７は領域２３、２４の下方縦方向にその順で配置されている。また、領域１３は領域１４〜１６の右方に、領域１９は領域２０〜２２の左方に、領域２５は領域２６、２７の右方にそれぞれ配置されている。
【００１７】
コーディネートシール１００は、図３（ａ）に示すように、異なる複数のトップスシール１０１と、異なる複数のボトムスシール１０２と、異なる複数の靴下類シール１０３と、異なる複数の靴シール１０４と、異なる複数のヘアバンド類シール１０５と、異なる複数の飾り類シール１０６と、異なる複数のバッグ類シール１０７とを有して構成されている。
【００１８】
ネイルシール２００は、図３（ｂ）に示すように、異なる複数のデコレーションシール２０１とを有して構成されている。
【００１９】
各シール１０１〜１０７、２０１の裏面には、プロフィールカード１０に対して剥離および再接着が可能な接着剤が塗布されている。
【００２０】
次に、本実施の形態の動作を説明する。
コーディネートシール１００およびネイルシール２００のなかから好みのシールを選択し、選択したシールをプロフィールカード１０の表面（キャラクタ画像１１の上）に貼付することによりキャラクタ画像１１を着せ替えして装飾することができる。また、プロフィールカード１０の裏面に自己のプロフィールを記載する。そして、このようにして装飾およびプロフィールを記載したプロフィールカード１０を友人等と交換するなどして楽しむ。
【００２１】
友人等と交換したプロフィールカード１０は、プロフィールカード１０の穴１２をカードバインダの留め具に取り付ければ、カードバインダにファイリングすることができる。
【００２２】
このようにして、本実施の形態では、プロフィールカードセットは、表面にキャラクタ画像１１を表示し、裏面にプロフィールを記載する領域を表示したプロフィールカード１０と、プロフィールカード１０の表面に貼付してキャラクタ画像１１を装飾するための異なる複数のシールを含むコーディネートシール１００およびネイルシール２００とを備える。
【００２３】
これにより、友人等のプロフィールだけでなく、その人の好みにより装飾されたキャラクタ画像１１が得られるので、趣向性を向上することができる。
【００２４】
さらに、本実施の形態では、プロフィールカード１０には、プロフィールカード１０をカードバインダの留め具に取り付けるための穴１２が形成されている。
【００２５】
これにより、プロフィールカード１０の穴１２をカードバインダの留め具に取り付ければ、友人等と交換したプロフィールカード１０をカードバインダにファイリングすることができる。
【００２６】
なお、上記実施の形態において、プロフィールカード１０の表面には、装飾対象としてキャラクタ画像１１を表示したが、これに限らず、動物、昆虫、魚、植物、乗り物等のキャラクタ画像、空想上のキャラクタ画像など任意の対象を表示することができる。
【符号の説明】
【００２７】
１０…プロフィールカード、  １１…キャラクタ画像、  １２…穴、  １３〜２７…プロフィールを記載する領域、  １００…コーディネートシール、  １０１…トップスシール、  １０２…ボトムスシール、  １０３…靴下類シール、  １０４…靴シール、  １０５…ヘアバンド類シール、  １０６…飾り類シール、  １０７…バッグ類シール、  ２００…ネイルシール、  ２０１…デコレーションシール
【図１】
0003168931.tif 000003
【図２】
0003168931.tif 000004
【図３】
0003168931.tif 000005
【手続補正書】
【提出日】平成23年4月22日(2011.4.22)
【手続補正１】
【補正対象書類名】図面
【補正対象項目名】図１
【補正方法】変更
【補正の内容】
【図１】
0003168931.tif 000006